(57)【特許請求の範囲】
【請求項１】
圧電素子の上下面に電極を貼付けた圧電スピーカにおいて、前記電極の双方に圧電素子の接触面から離れた振動部を形成して振動板として作用させると共に、圧電素子の上下面の少なくとも一方に複数の振動板を設けた圧電スピーカ。
【請求項２】
前記振動板の少なくとも１つの断面が圧電素子と接触する直線部と圧電素子から離れた直線部とを有する請求項１に記載した圧電スピーカ。
【請求項３】
前記振動板の少なくとも１つの断面が圧電素子と接触する直線部と圧電素子から離れた曲線形状部とを有する請求項１に記載した圧電スピーカ。
【請求項４】
前記複数の振動板の大きさ及び／又は形状を異ならせたことを特徴とする請求項１から３のいずれかに記載した圧電スピーカ。
【発明の詳細な説明】
【０００１】
【発明の属する技術分野】
この発明は圧電スピーカに係わり、特に、広帯域の圧電スピーカに関する。
【０００２】
【従来の技術】
従来の圧電スピーカの例を図１０に示す。図における２は圧電素子であり、セラミックで作られている。圧電素子２の上下の面には振動板１と電極１４が貼着されている。振動板１は電極を兼ねており、振動板１と電極１４との間に信号源４の電圧が印加されると圧電素子２が伸縮する。
【０００３】
図１１は圧電素子２が縮んだ状態を示しており、このとき振動板１の周囲が下側に反っている。図１２は圧電素子２が伸びた状態を示しており、このとき振動板１の周囲が上側に反っている。このように圧電素子２の伸縮に伴い振動板１が振動して音が放射される。
【０００４】
上記した圧電スピーカは振動板１の材質、厚さ、大きさおよび形状により再生する周波数帯域が決定され、帯域は広くとれない。そして、２０Ｈｚ〜２０ｋＨｚのフルレンジを再生することができなかった。
【０００５】
特開平９−３２７０９４号公報に提案された圧電スピーカは電極を種々の面積の部分に分割し、分割された夫々の電極に夫々異なる周波数特性の信号を入力する構成となっている。このような構成とすることにより帯域を広くすることができるが、信号を周波数特性に合わせて入力するための回路が必要となり、コスト高となるという問題があった。
【０００６】
【発明が解決しようとする課題】
この発明は上記した点に鑑みてなされたものであって、その目的とするところは、製造コストが安く、しかも再生帯域の広い圧電スピーカを提供することにある。
【０００７】
【課題を解決するための手段】
この発明の圧電スピーカは、圧電素子の上下面に電極を貼付けた圧電スピーカにおいて、前記電極の双方に圧電素子の接触面から離れた振動部を形成して振動板として作用させると共に、圧電素子の上下面の少なくとも一方に複数の振動板を設けたものである。
【０００８】
また、前記圧電スピーカにおいて、前記振動板の少なくとも１つの断面が圧電素子と接触する直線部と圧電素子から離れた直線部とを有するものである。
【０００９】
また、同圧電スピーカにおいて、前記振動板の少なくとも１つの断面が圧電素子と接触する直線部と圧電素子から離れた曲線形状部とを有するものである。
【００１０】
また、前記各圧電スピーカにおいて、前記複数の振動板の大きさ及び／又は形状を異ならせたものである。
【００１１】
【発明の実施の形態】
この発明の実施例である圧電スピーカを図面に基づいて説明する。図１はこの発明の第１の実施例である圧電スピーカを示す断面図である。図における２は圧電素子であり、セラミックで作られている。圧電素子２の上下の面には振動板１と振動板３が貼着されている。振動板１および３は電極を兼ねており、振動板１と振動板３との間に信号源４の電圧が印加されると圧電素子２が伸縮する。
【００１２】
振動板３は振動板１と材質、厚さ、大きさおよび形状を異ならせることができる。この例では振動板１が平板であるのに対して振動板３は有底円錐形状となっている。このため、振動板１と振動板３では周波数に対する振動特性が異なり、圧電素子２を信号源４の電圧により加振したときに異なる振動特性で振動板１と振動板３とが振動するため、再生帯域を広くすることができる。
【００１３】
図２はこの発明の第２の実施例である圧電スピーカを示す断面図である。この例では圧電素子２に貼着される振動板１と振動板５は共に平板形状であるが大きさが異なる。そして、振動板１と振動板５とが反ったときに接触しないようにするために振動板１と振動板５の間にクッション材６を介在させている。振動板１と振動板５に信号源４からの信号が印加されることは第１の実施例と同様である。このような構成によっても圧電スピーカの再生帯域を広くすることができる。
【００１４】
図３はこの発明の第３の実施例である圧電スピーカを示す断面図である。この例では圧電素子２に貼着される振動板１と振動板５は共に平板形状であるが大きさが異なる。そして、振動板１と振動板５とが反ったときに接触しないようにするために振動板５と圧電素子２の間に導電体７を介在させている。振動板１と振動板５に信号源４からの信号が印加されることは第１の実施例と同様である。このような構成によっても圧電スピーカの再生帯域を広くすることができる。
【００１５】
図４はこの発明の第４の実施例である圧電スピーカを示す断面図である。この例では圧電素子２の下面に貼着される振動板１は平面であるが、圧電素子２の上面に貼着される振動板８は圧電素子２に対する平面状の貼着面から断面円弧状の曲面が伸びた形状となっている。振動板１と振動板８に信号源４からの信号が印加されることは第１の実施例と同様である。このような構成によっても圧電スピーカの再生帯域を広くすることができる。
【００１６】
図５はこの発明の第５の実施例である圧電スピーカを示す断面図である。この例では圧電素子２の下面に貼着される振動板１は平面であるが、圧電素子２の上面に貼着される振動板９は圧電素子２に対する平面状の貼着面から円錐状の曲面が伸びた形状となっている。そして、振動板９の圧電素子２に対する貼着面は圧電素子２の上面より狭くなっている。振動板１と振動板９に信号源４からの信号が印加されることは第１の実施例と同様である。このような構成によっても圧電スピーカの再生帯域を広くすることができる。
【００１７】
図６はこの発明の第６の実施例である圧電スピーカを示す断面図である。この例では圧電素子２の下面に貼着される振動板１は平面であるが、圧電素子２の上面に貼着される振動板１０は圧電素子２に対する平面状の貼着面の内側および外側に圧電素子１０から離れる曲面部が形成されている。振動板１と振動板１０に信号源４からの信号が印加されることは第１の実施例と同様である。このような構成によっても圧電スピーカの再生帯域を広くすることができる。
【００１８】
図７はこの発明の第７の実施例である圧電スピーカを示す断面図である。この例では圧電素子２の下面に貼着される振動板１は平面であるが、圧電素子２の上面には有底円錐形振動板１１が２個貼着されている。振動板１と振動板１１、１１に信号源４からの信号が印加されることは第１の実施例と同様である。このような構成によっても圧電スピーカの再生帯域を広くすることができる。
【００１９】
図８はこの発明の第８の実施例である圧電スピーカを示す断面図、図９は同圧電スピーカを示す平面図である。この例では圧電素子２の下面に貼着される振動板１は平面であるが、圧電素子２の上面には有底円錐形の振動板１２および１３が貼着されている。そして、振動板１３は平面部の一部のみが圧電素子２と当接している。振動板１２および１３は同一形状でもよく、大きさおよび形状の異なるものでもよい。振動板１と振動板１２、１３に信号源４からの信号が印加されることは第１の実施例と同様である。このような構成によっても圧電スピーカの再生帯域を広くすることができる。
【００２０】
実施例は以上のように構成されているが発明はこれに限られず、例えば、振動板を角錐形状等任意の形状としてもよい。このように、振動板を任意の形状とし、材質・厚みも任意のものとすることにより、好ましい再生周波数特性を得ることができる。
【００２１】
【発明の効果】
この発明の圧電スピーカによれば、製造コストを安くして再生帯域を広げることができる。
【図面の簡単な説明】
【図１】この発明の第１の実施例である圧電スピーカを示す断面図である。
【図２】この発明の第２の実施例である圧電スピーカを示す断面図である。
【図３】この発明の第３の実施例である圧電スピーカを示す断面図である。
【図４】この発明の第４の実施例である圧電スピーカを示す断面図である。
【図５】この発明の第５の実施例である圧電スピーカを示す断面図である。
【図６】この発明の第６の実施例である圧電スピーカを示す断面図である。
【図７】この発明の第７の実施例である圧電スピーカを示す断面図である。
【図８】この発明の第８の実施例である圧電スピーカを示す断面図である。
【図９】同圧電スピーカを示す平面図である。
【図１０】従来の圧電スピーカの例を示す断面図である。
【図１１】同圧電スピーカの作動状態を示す断面図である。
【図１２】同圧電スピーカの他の作動状態を示す断面図である。
【符号の説明】
１  振動板
２  圧電素子
３  振動板
４  信号源
５  振動板
６  クッション材
７  導電体
８、９、１０、１１、１２、１３  振動板
１４  電極
【図１】
0004405118.tif 000002
【図２】
0004405118.tif 000003
【図３】
0004405118.tif 000004
【図４】
0004405118.tif 000005
【図５】
0004405118.tif 000006
【図６】
0004405118.tif 000007
【図７】
0004405118.tif 000008
【図８】
0004405118.tif 000009
【図９】
0004405118.tif 000010
【図１０】
0004405118.tif 000011
【図１１】
0004405118.tif 000012
【図１２】
0004405118.tif 000013